(57)【要約】【課題】アビジン又はビオチンを固定化した対照部における発色強度が向上された、クロマトグラフィー用試験具を提供する。【解決手段】本発明のクロマトグラフィー用試験具は、生体試料中の被検出成分に結合可能な標識物質、及び標識アビジン又は標識ビオチンを保持する標識保持部材と、前記被検出成分に結合可能な固定用物質を固定化した判定部、及び前記標識アビジン又は前記標識ビオチンと結合可能なアビジン又はビオチンを固定化した対照部を有するクロマトグラフ媒体と、を備え、前記アビジン又はビオチンが、還元剤及び／又は低級アルコールと共に前記対照部に固定化されている。【選択図】図１
2008164300.tif 000002
【特許請求の範囲】
【請求項１】
生体試料中の被検出成分に結合可能な標識物質、及び標識アビジン又は標識ビオチンを保持する標識保持部材と、
前記被検出成分に結合可能な固定用物質を固定化した判定部、及び前記標識アビジン又は前記標識ビオチンと結合可能なアビジン又はビオチンを固定化した対照部を有するクロマトグラフ媒体と、を備え、
前記アビジン又はビオチンが、還元剤及び／又は低級アルコールと共に前記対照部に固定化されているクロマトグラフィー用試験具。
【請求項２】
生体試料中の被検出成分に結合可能な標識物質、及び標識アビジンを保持する標識保持部材と、
前記被検出成分に結合可能な固定用物質を固定化した判定部、及びビオチンを固定化した対照部を有するクロマトグラフ媒体と、を備え、
前記ビオチンが、還元剤及び／又は低級アルコールと共に前記対照部に固定化されているクロマトグラフィー用試験具。
【請求項３】
前記還元剤が、２−メルカプトエチルアミン、トリス（２−カルボキシエチル）ホスフィン及び／又はシステインである、請求項１又は２に記載のクロマトグラフィー用試験具。
【請求項４】
前記低級アルコールが、炭素数１〜６のアルコールである、請求項１〜３のいずれか１項に記載のクロマトグラフィー用試験具。
【請求項５】
前記炭素数１〜６のアルコールが、エタノールである、請求項４に記載のクロマトグラフィー用試験具。
【請求項６】
前記ビオチンがキャリア蛋白を介して対照部に固定化されている、請求項１〜５のいずれか１項に記載のクロマトグラフィー用試験具。
【請求項７】
前記被検出成分がインフルエンザウイルス、コロナウイルス、ロタウイルス、ＲＳウイルス及びアデノウイルスからなる群より選択される１種以上である請求項１〜６のいずれか１項に記載のクロマトグラフィー用試験具。
【請求項８】
前記対照部が、アビジン又はビオチン並びに還元剤及び／又は低級アルコールを混合して調整した塗布液を、クロマトグラフ媒体に塗布したものである、請求項１〜７のいずれか１項に記載のクロマトグラフィー用試験具。
【発明の詳細な説明】
【技術分野】
【０００１】
本発明は、アビジン又はビオチンを固定化した対照部を有するクロマトグラフィー用試験具に関する。
【背景技術】
【０００２】
試料中の被検出成分に特異的に結合する物質を用いて被検出成分を検出する試験具として、クロマトグラフィー用試験具が挙げられる。被検出成分の存在が疑われる試料をこの試験具の一部（試料添加部）に添加すると、試料は毛細管現象により試料添加部内を移動して、被検出成分と結合し得る標識物質を保持する標識物質保持部に到達する。被検出成分が存在する場合は、被検出成分が標識物質と結合して複合体を形成する。さらに、毛細管現象による試料の展開に伴って、この被検出成分−標識物質の複合体がクロマトグラフ媒体を移動し、被検出成分に結合し得る固定用物質を固定化した判定部に到達すると、この複合体が固定用物質に結合する。このことにより、判定部において標識物質−被検出成分−固定用物質のサンドイッチ状の複合体が形成される。標識物質が有色の担体粒子（着色したラテックス粒子やコロイド状金属粒子など）を含む場合、標識物質が判定部に捕捉されると判定部が発色する。この判定部の発色を観察することにより、試料中の被検出成分の検出を行うことができる。
【０００３】
クロマトグラフィーを用いて試料中の被検出成分を検出する際には、試料が適切に展開されたか否かを確認するために、通常、クロマトグラフ媒体に対照部が設けられている。有色の担体粒子で標識されたコントロール物質（標識コントロール物質）を試料とともに展開することにより、対照部に固定化されたコントロール物質に結合可能な物質と標識コントロール物質とが結合し、標識コントロール物質が対照部に捕捉されることとなる。標識コントロール物質は有色であるので、対照部に捕捉されると対照部が発色する。この対照部の発色を観察することにより、試料が適切に展開されたか否かを確認することができる。また、コントロール物質及びコントロール物質に結合可能な物質の組合せとしては、アビジン及びビオチンの組合せが知られている（特許文献１、特許文献２、特許文献３）。
【０００４】
上述のように、対照部は試料が適切に展開されたか否かを確認するための重要な機能を担っている。しかし、測定条件やクロマトグラフィー用試験具の組成等により、発色強度が低下することがあり、発色強度の向上が望まれていた。
【特許文献１】特開２００６−１８９３１７号公報
【特許文献２】特開２００６−１９４６８７号公報
【特許文献３】特開２００６−１９４６８８号公報
【発明の開示】
【発明が解決しようとする課題】
【０００５】
本発明はこのような事情に鑑みてなされたものであり、アビジン又はビオチンを固定化した対照部における発色強度が向上された、クロマトグラフィー用試験具を提供することを目的とする。
【課題を解決するための手段】
【０００６】
すなわち、本発明は、
（１）生体試料中の被検出成分に結合可能な標識物質、及び標識アビジン又は標識ビオチンを保持する標識保持部材と、前記被検出成分に結合可能な固定用物質を固定化した判定部、及び前記標識アビジン又は前記標識ビオチンと結合可能なアビジン又はビオチンを固定化した対照部を有するクロマトグラフ媒体と、を備え、前記アビジン又はビオチンが、還元剤及び／又は低級アルコールと共に前記対照部に固定化されているクロマトグラフィー用試験具；
（２）生体試料中の被検出成分に結合可能な標識物質、及び標識アビジンを保持する標識保持部材と、前記被検出成分に結合可能な固定用物質を固定化した判定部、及びビオチンを固定化した対照部を有するクロマトグラフ媒体と、を備え、前記ビオチンが、還元剤及び／又は低級アルコールと共に前記対照部に固定化されているクロマトグラフィー用試験具；
（３）前記還元剤が、２−メルカプトエチルアミン、トリス（２−カルボキシエチル）ホスフィン及び／又はシステインである、（１）又は（２）に記載のクロマトグラフィー用試験具；
（４）前記低級アルコールが、炭素数１〜６のアルコールである、（１）〜（３）のいずれか１に記載のクロマトグラフィー用試験具；
（５）前記炭素数１〜６のアルコールが、エタノールである、（４）に記載のクロマトグラフィー用試験具；
（６）前記ビオチンがキャリア蛋白を介して対照部に固定化されている、（１）〜（５）のいずれか１に記載のクロマトグラフィー用試験具；
（７）前記被検出成分がインフルエンザウイルス、コロナウイルス、ロタウイルス、ＲＳウイルス及びアデノウイルスからなる群より選択される１種以上である（１）〜（６）のいずれか１に記載のクロマトグラフィー用試験具；
（８）前記対照部が、アビジン又はビオチン並びに還元剤及び／又は低級アルコールを混合して調整した塗布液を、クロマトグラフ媒体に塗布したものである、（１）〜（７）のいずれか１に記載のクロマトグラフィー用試験具；
を提供するものである。
【発明の効果】
【０００７】
本発明によれば、アビジン又はビオチンを固定化した対照部における発色強度が向上された、クロマトグラフィー用試験具を提供することができる。
【発明を実施するための最良の形態】
【０００８】
本実施形態のクロマトグラフィー用試験具に用いられる生体試料としては、哺乳類、鳥類などの動物から得られた試料や植物から得られた試料を挙げることができる。該生体試料は、動物から得られた試料、特にヒトを含む哺乳類から得られた試料及び鳥類から得られた試料がより好ましい。ヒトを含む哺乳類から得られた試料としては、血液、血清、糞便、痰、尿、唾液、鼻腔吸引液、鼻腔拭い液、咽頭拭い液、涙液、スワブなどが挙げられる。鳥類から得られた試料としては、血液、血清、糞便などが挙げられる。
【０００９】
また、生体試料としては、生体から採取された試料を含むものであれば、特に限定されるものではないが、生体試料に前処理を施して調製された試料が好ましい。ここで、前処理とは、生体から採取された試料を検出に適した状態に処理することである。前処理としては、例えば、生体から採取された試料に適当な前処理用試薬を添加してフィルターで濾過して濾液を得ることが挙げられる。また、生体から採取された試料中の被検出成分が微量である場合は、前処理として、検出前に被検出成分を増幅させることができる。
【００１０】
上記の前処理用試薬としては特に限定されず、精製水、生理食塩水、リン酸緩衝液、トリス（ヒドロキシメチル）アミノメタン（Ｔｒｉｓ）緩衝液、Ｎ−（２−ヒドロキシエチル）ピペラジン−Ｎ’−（２−エタンスルホン酸）（ＨＥＰＥＳ）液、ピペラジン−Ｎ，Ｎ’−ビス（２−エタンスルホン酸）（ＰＩＢＥＳ）液、３−（シアノヘキシルアミノ）−１−プロパンスルホン酸（ＣＡＰＳ）液、３−（モルホリノ）プロパンスルホン酸（ＭＯＰＳ）液、アミノ酸液などが挙げられる。
【００１１】
本実施形態のクロマトグラフィー用試験具で検出し得る被検出成分としては、被検出成分に対する抗体を得ることができる物質であれば特に限定されず、細菌、原生生物や真菌などの細胞、ウイルス、タンパク質、多糖類などが挙げられる。例えば、インフルエンザウイルス、パラインフルエンザウイルス、ＲＳウイルス、ロタウイルス、カルシウイルス、コロナウイルス、アデノウイルス、エンテロウイルス、ヘルペスウイルス、ヒト免疫不全ウイルス、肝炎ウイルス、重症急性呼吸器症候群の病原ウイルス（コロナウイルス）などのウイルス；マイコプラズマニューモニエ、大腸菌、スタフィロコッカスアウレウス、ストレプトコッカスニューモニエ、ストレプトコッカスピヨゲネス、マラリア原虫などの細胞；消化器系疾患、中枢神経系疾患、出血熱などの様々な疾患の病原体、これらの代謝産物；癌胎児性抗原やシフラなどの腫瘍マーカー；ホルモンなどが例示される。これらの被検出成分は、生体試料中に１種以上含まれてもよい。
本発明のクロマトグラフィー用試験具は、なかでも、インフルエンザウイルス、コロナウイルス、ロタウイルスおよびアデノウイルスから選択される１種以上のウイルスの検出に好適に用いることができる。
【００１２】
本実施形態の生体試料中の被検出成分に結合可能な標識物質としては、生体試料中の被検出成分に結合するものであれば、特に限定されるものではないが、被検出成分に特異的に結合するものが好ましく、特に被検出成分に対する抗体を担体で標識したものが好ましい。被検出成分に対する抗体は、公知の方法で作成することができるが、具体的には、被検出成分を適切なキャリアーと結合させ、得られたコンジュゲートでウマ、ウシ、ヒツジ、ウサギ、ヤギ、ラット、マウスなどの動物を免疫し、動物から血清を採取して抗被検出成分抗体を精製する方法を用いることができる。抗被検出成分抗体は、ポリクローナル抗体でもモノクローナル抗体でもよく、これらを混合して用いてもよい。また、抗体のフラグメント及びその誘導体を用いることもできる。
【００１３】
本実施形態における抗体は、抗体のフラグメント及びその誘導体をも含むものである。抗体のフラグメント及びその誘導体としては、Ｆａｂ，Ｆａｂ’，Ｆ（ａｂ）2及びｓＦｖフラグメント等が挙げられる。また、抗体のサブクラスはＩｇＧに限定されず、ＩｇＭなどでもよい。
【００１４】
本実施形態における標識アビジン又は標識ビオチンとしては、対照部に固定化されているアビジン又はビオチンと結合し、対照部を発色するものであれば、特に限定されるものではないが、例えば、標識アビジンとしては、担体で標識したアビジン又はストレプトアビジンが挙げられ、標識ビオチンとしては、担体で標識したビオチン、ビオシチン、ビスノルビオチン、デスチオビオチン又はオキシビオチンが挙げられる。
【００１５】
本実施形態における担体としては、粒子状であるものが好ましく、例えば、色素分子、蛍光分子又は磁気粒子などで標識された寒天、アガロース、架橋アガロース、架橋アルギン酸、架橋グアガム、ニトロセルロースやカルボキシルセルロースなどのセルロースエステル類、ゼラチン、架橋ゼラチン、ラテックス、ゴム、ポリエチレン、ポリプロピレン、ポリスチレン、スチレン−ブタジエン共重合体、ポリ塩化ビニル、ポリ酢酸ビニル、ポリアクリルアミド、ポリメタクリレート、スチレン−メタクリレート共重合体、ポリグリシジルメタクリレート、アクロレイン−エチレングリコールジメタクリレート共重合体などの天然又は合成の樹脂及びその誘導体、ガラス(例えば活性化ガラス)、シリカゲル、カオリン、タルク、シリカ−アルミナ、アルミナ、硫酸バリウムなどの無機材料からなる粒子、赤血球、金などの金属コロイド等が挙げられる。なかでも、色素分子、蛍光分子又は磁気粒子を有するラテックス粒子及び金コロイドが好ましい。
【００１６】
上述の抗体、アビジン及びビオチンを、担体で標識する方法としては、当該技術において通常用いられている方法であれば特に限定されず、イオン相互作用、疎水相互作用、共有結合などの物理的吸着や適切な架橋剤を用いる化学的結合により行うことができる。例えば、ラテックス粒子を担体として用いる場合、ラテックス表面に架橋剤を用いて、タンパク質と結合するための官能基を導入し、この官能基に抗体、アビジン及びビオチン等を結合させることができる
【００１７】
架橋剤は、抗体、アビジン及びビオチンと担体との結合に通常用いられる架橋剤であれば特に限定されないが、例えば、１−エチル−３−（３−ジメチルアミノプロピル）カルボジイミド(ＥＤＡＣ)、Ｎ−ヒドロキシスクシンイミド(ＮＨＳ)、２−イミノチオラン、Ｎ，Ｎ’−ｏ−フェニレンジマレイミド、Ｎ−スクシンイミジル Ｓ−アセチルチオアセテート(ＳＡＴＡ)、Ｎ−スクシンイミジル Ｓ−アセチルチオプロピオネート(ＳＡＴＰ）、Ｎ−スクシンイミジル−３−（２−ピリジルジチオ）プロピオネート、Ｎ−スクシンイミジル ４−（Ｎ−マレイミドメチル）シクロヘキサン−１−カルボキシレート、Ｎ−スクシンイミジル ６−マレイミドヘキサノエート、Ｎ−スクシンイミジル−４−ヨードアセチルアミノベンゾエート、Ｎ−スクシンイミジル−３−（ｐ−ヒドロキシフェニル）プロピオネート、Ｎ−スクシンイミジルｍ−マレイミドベンゾエート、Ｎ−スクシンイミジル ４−マレイミドブチレート、Ｎ−スクシンイミジル（ｐ−マレイミドフェニル）アセテート、Ｎ−スクシンイミジル−４−（ｐ−マレイミドフェニル）ブチレートなどが挙げられ、これらの１種を用いてもよいし、２種以上を用いてもよい。
【００１８】
本実施形態において、標識保持部材としては、被検出成分に結合可能な標識物質及び標識アビジンを保持することができる素材であれば、特に限定されるものではないが、例えば、グラスファイバー、セルロースファイバー、プラスチック(例えば、ポリエステル、ポリプロピレン、ポリエチレンなど)ファイバー等が挙げられ、特にグラスファイバーが好ましい。
【００１９】
標識保持部材に保持される被検出成分に結合可能な標識物質及び標識アビジンは、互いに異なる色に標識されても、同じ色に標識されてもよい。また、被検出成分に結合可能な標識物質又は標識アビジンを標識保持部材に保持させる方法としては、標識保持部材をこれらの標識物質を含む緩衝液に含浸させ、適宜乾燥させる方法が挙げられる。
【００２０】
本実施形態において、被検出成分に結合可能な固定用物質としては、生体試料中の被検出成分に結合するものであれば、特に限定されるものではないが、被検出成分に結合可能な標識物質が被検出成分と結合する部位とは異なる部位に結合するものが好ましい。より具体的には、被検出成分に特異的に結合可能な抗体が好ましく、特に、被検出成分に結合可能な標識物質が結合する部位とは異なる部位で被検出成分に結合する抗体が好ましい。
【００２１】
本実施形態におけるアビジンとしては、アビジン及びアビジン類縁体であって、標識ビオチンと結合するものであれば、特に制限されるものではないが、例えば、アビジン又はストレプトアビジン等が挙げられ、特にアビジンが好ましい。
【００２２】
本実施形態におけるビオチンとしては、ビオチン及びビオチン類縁体であって、標識アビジンと結合するものであれば、特に制限されるものではないが、例えば、ビオチン、ビオシチン、ビスノルビオチン、デスチオビオチン、及びオキシビオチン等が挙げられ、特にビオチンが好ましい。
【００２３】
本実施形態において、クロマトグラフ媒体としては、静電作用、疎水相互作用のような物理的作用によりタンパク質と結合することができ、且つ毛管現象により試料を展開できる素材であれば、特に限定されるものではないが、例えば、ニトロセルロース、ナイロン（例えば、カルボキシル基やアルキル基を置換基として有してもよいアミノ基が導入された修飾ナイロン）、ポリビニリデンジフルオリド（ＰＶＤＦ）、セルロースアセテート等が挙げられ、特にニトロセルロースが好ましい。
【００２４】
被検出成分に結合可能な固定用物質をクロマトグラフ媒体の判定部に固定化する方法としては、固定用物質をリン酸緩衝液等の適切な溶媒に溶解した塗布液を、クロマトグラフ媒体に塗布し、適宜乾燥させる方法が挙げられる。固定用物質の塗布液中の濃度、塗布する量は、特に限定されず、クロマトグラフィー用試験具の所望の感度に応じて適宜変更することができる。乾燥する時間及び温度は、固定用物質に影響を及ぼさない時間及び温度であれば特に限定されず、例えば３０〜５５℃で２０分〜３時間程度である。
【００２５】
本実施形態において、アビジン又はビオチンを還元剤及び／又は低級アルコールと共にクロマトグラフ媒体の対照部に固定化する方法としては、アビジン又はビオチンが、還元剤及び／又は低級アルコールと共にクロマトグラフ媒体の対照部に固定化されるものであれば、特に限定されるものではないが、例えば、
i) アビジン又はビオチンと、還元剤及び／又は低級アルコールを、それぞれリン酸緩衝液等の適切な溶媒に溶解した塗布液を調製し、該塗布液をクロマトグラフ媒体に塗布し、適宜乾燥させる方法や、
ii) アビジン又はビオチンと、還元剤及び／又は低級アルコールをリン酸緩衝液等の適切な溶媒で混合した塗布液を調製し、該塗布液をクロマトグラフ媒体に塗布し、適宜乾燥させる方法
等が挙げられ、特にii)に示される混合した塗布液を調製する方法が、簡便性の観点から好ましい。乾燥する時間及び温度は、アビジン、ビオチン、還元剤及び低級アルコールに影響を及ぼさない時間及び温度であれば特に限定されず、例えば３０〜５５℃で２０分〜３時間程度である。固定化する際のアビジン又はビオチンの塗布液中の濃度、塗布する量は、特に限定されず、クロマトグラフィー用試験具の所望の感度に応じて適宜変更することができる。
【００２６】
また、ビオチンをクロマトグラフ媒体に固定化する場合、ビオチン化したキャリア蛋白を用いると、キャリア蛋白を介してより強固に、ビオチンをクロマトグラフ媒体に固定化することができる。キャリア蛋白としては、アルブミン、グロブリン、カゼイン及びヘモシアニン等が挙げられ、アルブミンが好ましい。アルブミンとしては、特に限定されるものではないが、例えば、ウシ、ヤギ、トリ等の血清アルブミンが挙げられ、ウシ血清アルブミンであるＢＳＡが好ましい。
【００２７】
本実施形態における還元剤としては、還元作用を有する化合物であれば、特に限定されるものではないが、２−メルカプトエチルアミン、トリス（２‐カルボキシエチル）ホスフィン及びシステインが挙げられ、特に２−メルカプトエチルアミンが好ましい。還元剤の塗布液中の濃度、塗布する量は、特に限定されず、クロマトグラフィー用試験具の所望の感度に応じて適宜変更することができるが、例えば、塗布液中の濃度としては、５ｍＭ〜５０ｍＭが好ましく、特に７．５ｍＭ〜２５ｍＭが好ましい。
【００２８】
本実施形態における低級アルコールとしては、炭素数１〜６を有する脂肪族アルコールが好ましく、例えば、メタノール、エタノール、イソプロパノール、ｎ−プロパノール、イソブタノール、ｎ−ブタノール等が挙げられ、特にエタノールが好ましい。低級アルコールの塗布液中の濃度、塗布する量は、特に限定されず、クロマトグラフィー用試験具の所望の感度に応じて適宜変更することができるが、例えば、塗布液中の濃度としては、塗布液全量に対して、１〜２０質量％であり、５〜１５質量％であるのが好ましく、特に１０質量％が好ましい。
【００２９】
図１は、本発明の一実施形態のイムノクロマトグラフィー用試験具の断面図である。このイムノクロマトグラフィー用試験具は、表面に粘着層を有するプラスチック板からなる基材１上に、コットンの不織布からなる試料添加用部材３と、グラスファイバーの不織布からなる標識保持部材５と、ニトロセルロースの多孔体からなるクロマトグラフ媒体９と、セルロースの不織布からなる吸収部材１１とを備える。試料添加用部材３は、標識保持部材５を覆ってクロマトグラフ媒体９と接触するように配置され、標識保持部材５は、試料中の被検出成分と抗原抗体反応する標識物質を保持する。クロマトグラフ媒体９は、標識保持部材と間隔を介して配置され、被検出成分と抗原抗体反応する固定用物質が固定された判定部を有する。吸収部材１１は、クロマトグラフ媒体９と接触するように配置されている。
【００３０】
クロマトグラフ媒体９には、上流側から順に、ライン状の第１判定部９Ａ、第２判定部９Ｂ及び対照部９Ｃが形成され、標識保持部材５には、第１標識物質、第２標識物質及び標識アビジンが保持されている。第１判定部９Ａ、第２判定部９Ｂ及び対照部９Ｃには、固定用物質として、それぞれ、抗インフルエンザＡ抗体、抗インフルエンザＢ抗体（以下、それぞれ「抗ＦｌｕＡ抗体」、「抗ＦｌｕＢ抗体」とする。）、ビオチンが固定されている。第１標識物質及び第２標識物質は、それぞれ、青色ラテックス粒子で標識された抗ＦｌｕＡ抗体及び抗ＦｌｕＢ抗体であり、標識アビジンは、赤色ラテックス粒子で標識されたアビジンである。抗ＦｌｕＡ抗体及び抗ＦｌｕＢ抗体は、それぞれ、第１被検出成分であるインフルエンザＡ型ウイルス及び第２被検出成分であるインフルエンザＢ型ウイルス（以下、それぞれ「ＦｌｕＡウイルス」、「ＦｌｕＢウイルス」とする。）と抗原抗体反応により結合する。
【００３１】
抗ＦｌｕＡ抗体を例にとると、試料中にＦｌｕＡウイルスが含まれていると、標識保持部材５にある標識された抗ＦｌｕＡ抗体は、ＦｌｕＡウイルスの所定部位を認識して、抗原抗体反応により結合して複合体を形成する。次に、クロマトグラフ媒体９にある抗ＦｌｕＡ抗体は、ＦｌｕＡウイルスの別の部位を認識して複合体を捕捉する。複合体が捕捉されると、第１判定部９Ａには青色のラインが現れ、ＦｌｕＡウイルスの存在が目視により確認される。
【００３２】
また、標識アビジンは、クロマトグラフ媒体９にある抗ＦｌｕＡ抗体、抗ＦｌｕＢ抗体には捕捉されないが、ビオチンと特異的に結合するので、対照部９Ｃに固定されたビオチンに捕捉される。標識アビジンが捕捉されると、対照部９Ｃには赤色のラインが現れ、標識アビジンが対照部９Ｃに到達したことが目視される。対照部９Ｃは、第１判定部９Ａ及び第２判定部９Ｂの下流に設けられるので、赤色のラインを確認することにより、試料が第１判定部９Ａ及び第２判定部９Ｂを通過したことが確認される。
【００３３】
以下、実施例を挙げて本発明を詳細に説明するが、本発明はこれらに限定されるものではない。
【実施例１】
【００３４】
＜還元剤の有無による、ビオチンを固定化した対照部の発色強度の比較＞
（塗布液の調製）
１．０ｍｇ／ｍＬのビオチン化ＢＳＡと、１０ｍＭの還元剤を含有するリン酸緩衝液（ｐＨ７．０）を調製し、塗布液とした。還元剤としては２−メルカプトエチルアミン、トリス（２‐カルボキシエチル）ホスフィン及びシステインをそれぞれ使用した。尚、コントロールとしては、１．０ｍｇ／ｍＬのビオチン化ＢＳＡを含有するが、還元剤又はエタノールを含有しない塗布液を使用した。
【００３５】
（ビオチンを固定化した対照部を有するクロマトグラフ媒体の調製）
塗布液１μＬ／ｃｍを、抗体塗布機（ＢｉｏＤｏｔ社）を用いてクロマトグラフ媒体に塗布し５０℃で１５０分間乾燥させた。乾燥後のクロマトグラフ媒体をブロッキング液（ＢＳＡを含有するリン酸緩衝液（ｐＨ７．０））に浸漬し、ブロッキングを行った。ブロッキング後、洗浄液（ＳＤＳを含有するリン酸緩衝液（ｐＨ７．０））で洗浄し、４０℃、１２０分間乾燥させ、ビオチンを固定化した対照部を有するクロマトグラフ媒体を調製した。
【００３６】
（標識保持部材の調製）
アビジンを赤色ポリスチレンラテックス粒子（粒径０．１９μｍ）に感作し、分散用緩衝液（ＢＳＡ及びシュークロースを含有するリン酸緩衝液（ｐＨ８．０）に懸濁することでアビジン感作ラテックス粒子を調製し、グラスファイバー製パッドに添加（８３２μＬ／３００ｍｍ×５ｍｍ）後、真空乾燥機にて乾燥させ、標識保持部材を調製した。
【００３７】
（各部材の基材への貼り付け、裁断）
ここで、図２を用いて、各部材の基材への貼り付け方法について説明する。バッキングシートからなる基材１に、図２に示すように、クロマトグラフ媒体９、標識保持部材５、不織布（コットン１００％）からなる試料添加用部材３、不織布（セルロース）からなる吸収部材１１を貼り合せた。次に、試料添加用部材３と吸収部材１１をそれぞれ図示のように覆う透明シール１３，１５を貼った。最後に、裁断機（ＢｉｏＤｏｔ社）にて５ｍｍ幅に裁断し、イムノクロマトグラフィー用試験具を調製した。
【００３８】
（ビオチンを固定化した対照部の発色強度の比較）
調製したイムノクロマトグラフィー用試験具を、２００μＬの０．３ｗ／ｖ％ ＮＰ−４０（ポリオキシエチレン（９）オクチルフェニルエーテル）を含むリン酸緩衝液ｐＨ７．３（展開液１６）で展開した。図３は、イムノクロマトグラフィー用試験具を用いて、展開液１６を展開している状態を示したものである。展開液１６を、まず、イムノクロマトグラフィー用試験具が挿入可能な試験管１７に入れる。次に、イムノクロマトグラフィー用試験具を試料添加用部材３が展開液１６に浸潤するように挿入し、展開を開始する。
【００３９】
なお、発色強度は、ＢｉｏＤｏｔ社のＴＳＲ３０００メンブレンストリップリーダーで測定したラインの強度が０．０１５以上０．０３未満のものを１＋、０．０３以上０．０８未満のものを２＋、０．０８以上のものを３＋となるような目視判定見本を作製し、イムノクロマトグラフィー用試験具に現れたライン強度を該目視判定見本と比較することにより判定を行った。結果を表１に示す。
【００４０】
【表１】
2008164300.tif 000003
２−ＭＥＡ：２−メルカプトエチルアミン
ＴＣＥＰ：トリス（２‐カルボキシエチル）ホスフィン
【００４１】
表１の結果から明らかなように、ビオチンを２−メルカプトエチルアミン、トリス（２‐カルボキシエチル）ホスフィン及びシステイン等の還元剤と共に対照部に固定化したクロマトグラフィー用試験具は、還元剤を含まないものに比べ、発色強度の増強が見られた。
【実施例２】
【００４２】
＜低級アルコールの有無による、ビオチンを固定化した対照部の発色強度の比較＞
１．０ｍｇ／ｍＬのビオチン化ＢＳＡと、１０重量％のアルコールを含有するリン酸緩衝液（ｐＨ７．０）を調製し、塗布液とした以外は、実施例１と同様の方法でビオチンを固定化した対照部の発色強度の比較を行った。結果を表２に示す。
【００４３】
【表２】
2008164300.tif 000004
【００４４】
表１の結果から明らかなように、ビオチンをエタノールと共に対照部に固定化したクロマトグラフィー用試験具は、エタノールを含まないものに比べ、発色強度の増強が見られた。
【実施例３】
【００４５】
＜還元剤の濃度による、ビオチンを固定化した対照部の発色強度の比較＞
１．０ｍｇ／ｍＬのビオチン化ＢＳＡと、０、５ｍＭ、７．５ｍＭ、１０ｍＭ及び２５ｍＭの２−メルカプトエチルアミンを含有するリン酸緩衝液（ｐＨ７．０）をそれぞれ調製し、塗布液とした以外は、実施例１と同様の方法でビオチンを固定化した対照部の発色強度の比較を行った。結果を表３に示す。
【００４６】
【表３】
2008164300.tif 000005
【００４７】
表３から明らかなように、７．５ｍＭ、１０ｍＭ及び２５ｍＭの２−メルカプトエチルアミンと共にビオチンを固定化した対照部は、２−メルカプトエチルアミンが０ｍＭのものにくらべ、発色強度の増加が得られた。
【００４８】
以上により、本発明のクロマトグラフィー用試験具を用いると、ビオチンを固定化した対照部における発色強度が向上することが実験的に確認された。
【図面の簡単な説明】
【００４９】
【図１】本発明の一実施形態のイムノクロマトグラフィー用試験具の断面図である。
【図２】実施例で用いた、イムノクロマトグラフィー用試験具の断面図である。
【図３】実施例で用いた、イムノクロマトグラフィー用試験具を用いて、展開液１６を展開している状態を示したものである。
【符号の説明】
【００５０】
１：基材 ３：試料添加用部材 ５：標識保持部材 ９：クロマト用膜担体 ９Ａ：第１判定部 ９Ｂ：第２判定部 ９Ｃ：対照部 １１：吸収部材 １３，１５：透明シール  １６：展開液  １７：試験管
【図１】
2008164300.tif 000006
【図２】
2008164300.tif 000007
【図３】
2008164300.tif 000008